(57)【要約】【課題】開栓しても容器から離脱しないキャップを提供する。【解決手段】容器本体及び内キャップを具備する収納容器であって、該容器本体には螺旋状の突起を内部に設けられ、該内キャップは、該容器本体の頸部内壁に接しかつ開口部を塞き得る内栓本体、該内栓本体の底部から少なくとも該容器本体の頸部より内部に達する軸体及び、該軸体の端部又はその近傍に接続し該容器本体の口径より大きいストッパーを具備し、該ストッパーは該容器本体の内部に位置し、該容器本体の頚部から抜け出さない長さであることを特徴とする収納容器。【選択図】図１
2006259759.tif 000002
【特許請求の範囲】
【請求項１】
容器本体及び内キャップを具備する収納容器であって、
該容器本体には螺旋状の突起を内部に設けられ、
該内キャップは、該容器本体の頸部内壁に接しかつ開口部を塞き得る内栓本体、
該内栓本体の底部から少なくとも該容器本体の頸部より内部に達する軸体及び、
該軸体の端部又はその近傍に接続し該容器本体の口径より大きいストッパーを具備し、
該ストッパーは該容器本体の内部に位置し、該容器本体の頚部から抜け出さない長さであることを特徴とする収納容器。
【請求項２】
前記容器本体には、該容器本体が回転することで該容器本体の開口部より充填物を供給し得る螺旋状の突起を内部に設けられていることを特徴とする請求項１記載の収納容器。
【請求項３】
容器本体及び内キャップを具備する収納容器であって、
該容器本体には、容器本体が回転することで開口部よりトナーを供給し得る螺旋状の突起を内部に設けられ、
該内キャップは、該容器本体の頸部内壁に接しかつ開口部を塞き得る内栓本体、
該内栓本体の底部から少なくとも該容器本体の頸部より内部に達する軸体及び、
該軸体の端部又はその近傍に接続し該容器本体の口径より大きいストッパーを具備し、
該ストッパーは該容器本体の内部に位置し、該容器本体の頚部から抜け出さない長さであることを特徴とするトナー収納容器。
【発明の詳細な説明】
【技術分野】
【０００１】
本発明はトナー収納容器の内キャップに関し、詳しくは、振動、落下その他不用意な取り扱いがあった時でも簡単には外れないトナー収納容器の内チャップの構造に関するものである。
【背景技術】
【０００２】
トナー収納容器にトナー（現像剤）を充填し、これを電子写真複写機、プリンタ、ファクシミリなどの画像形成装置に装着し、トナーを徐々に画像形成装置の現像部に供給することが一般に行われている。ここで、トナー収納容器はその形状・構造がいろいろであるが、トナー収納容器の製造が比較的容易で取り扱いが簡単であるのに加えて、トナーの補給が確実に行えるものでなければならない。
【０００３】
このため従来においては、螺旋状の突起を内壁に設けたトナー収納容器が多く用いられている。このスクリューボトルによれば、１）横置きができ、機械・装置のレイアウトが容易となる、２）アジテータを必要としないで、それ自体の回転だけでトナーを一定量ずつ補給できる、といった利点がある。
【０００４】
ところで、トナー収納容器においては、充填口（供給口）が設けられた容器本体にトナーを充填した後、これをシールするためにキャップが取り付けられている。キャップには通常、内キャップと外キャップとがあり、トナーが充填されたトナー収納容器の運搬時及び保管時には容器本体の頸部（トナー供給口）に内キャップ、外キャップの両方が取り付けられる。内キャップは容器本体の頸部の内壁に接し、頸部の端面を鍔部（フランジ）で閉じている。内キャップの外側に外キャップがあり、外キャップは容器本体の頸部外面に設けられたネジ部に合わせネジ止めされている。本体から外キャップを外し、これを画像形成装置にセットした後は、内キャップは機械的に外されるため、ゆるく容器本体の供給口に止められている。
【０００５】
容器本体と内キャップとは別体であるため、例えばトナー収納容器のセット時における不手際でトナー収納容器を落下させたような場合には内キャップが外れ、トナーは容器本体から全く抵抗なく吐出され、画像形成装置の周囲や装置内部を汚してしまうことがある。また、内キャップは単体となっているため、オープンミスを起こした場合には、落下した内キャップが装置内の複雑なところに挟まり取り出しが不能となったり、また外キャップを外した状態でトナー収納容器を移動・搬送している時、何かの理由で内キャップが外れ紛失したりすることがある。
【０００６】
もっとも、こうした不都合は、開示されているトナー収納容器によれば（例えば、特許文献１参照）可成りの程度で防ぐことができる。ここで用いられている内キャップは容器本体の頸部内壁に接し、かつ開口部を塞ぐ内栓本体と、その内栓本体の底部から容器本体内側にのびた軸体と、その軸体の端部又は端部近傍に接続し、容器本体の頸部の内径よりも大きい外径を有し、該頸部根元を閉塞する弾性的に屈撓する薄膜片よりなる内蓋（閉塞部材）とから成り、この屈撓閉塞部材を１回転サイクル中のある一定時間のみ開放させるようにし、かつ回転中、トナーの塊りが補給されトナー補給過多にならないように内蓋で抑え、均一なトナー補給を達成しようとするものである。しかし、この内キャップは閉塞部材が薄膜片によって形成されているため、トナー収納容器を落下させた時に、極くまれにではあるが閉塞部材までもが容器本体から外れてしまうことがあった。また、一回転サイクルのうち一定時間しか内キャップを開かないこと、上記内蓋は切欠きを有するとは言え、基本的に容器本体の頸部根元を閉塞するものであるため、トナー補給量が少なく、複写が間に合わないという問題もあった。
【特許文献１】特開平９−１７９３９３号
【発明の開示】
【発明が解決しようとする課題】
【０００７】
このように容器本体と内キャップとが完全に分離できる状態となっている状態では、内キャップが容器本体から離れたり、紛失したりし、使用後、これらを同時に回収するのが往々にして困難である。また、内栓本体と閉塞部材が軸体でつながっているタイプの内キャップでも、容器本体と内キャップとが離れてしまうことがある。本発明の目的は、トナー収納容器の容器本体から容易には離脱しない、従って紛失することもない構造を有する内キャップを提供することである。本発明の他の目的は、容器本体の回転によるトナー補給時、トナーの容器本体からその頸部への移動を妨げない内キャップを提供することである。
【課題を解決するための手段】
【０００８】
すなわち上記課題は、本発明の（１）乃至（３）によって解決される。
【０００９】
（１）容器本体及び内キャップを具備する収納容器であって、該容器本体には螺旋状の突起を内部に設けられ、該内キャップは、該容器本体の頸部内壁に接しかつ開口部を塞き得る内栓本体、該内栓本体の底部から少なくとも該容器本体の頸部より内部に達する軸体及び、該軸体の端部又はその近傍に接続し該容器本体の口径より大きいストッパーを具備し、該ストッパーは該容器本体の内部に位置し、該容器本体の頚部から抜け出さない長さであることを特徴とする収納容器。
【００１０】
（２）前記容器本体には、該容器本体が回転することで該容器本体の開口部より充填物を供給し得る螺旋状の突起を内部に設けられていることを特徴とする上記（１）記載の収納容器。
【００１１】
（３）容器本体及び内キャップを具備する収納容器であって、該容器本体には、容器本体が回転することで開口部よりトナーを供給し得る螺旋状の突起を内部に設けられ、該内キャップは、該容器本体の頸部内壁に接しかつ開口部を塞き得る内栓本体、該内栓本体の底部から少なくとも該容器本体の頸部より内部に達する軸体及び、該軸体の端部又はその近傍に接続し該容器本体の口径より大きいストッパーを具備し、該ストッパーは該容器本体の内部に位置し、該容器本体の頚部から抜け出さない長さであることを特徴とするトナー収納容器。
【発明の効果】
【００１２】
本発明の内キャップは、上記のような構造であるため、その取付け法は圧入による。そして、容器本体に圧入しやすいが、容器本体から不用意に外れることはない。また、内キャップの内栓本体が容器本体の開口部から外れても内キャップは完全には外れず、紛失することがなく容器本体とともに確実に回収される。容器本体に充填されているトナーはストッパーに邪魔されこぼれにくい。
【発明を実施するための最良の形態】
【００１３】
以下、本発明をさらに詳細に説明する。図１（ａ）はボトル（容器本体）１の開口部が内キャップ２によって塞がれている状態を示し、図１（ｂ）は、充填物であるトナーが画像形成装置の現像部に供給されるように、内キャップ２が引っ張られてボトル１の開口部が開放された状態を示している。いずれもネジをゆるめて取り去った外キャップは図中で省略した。図２（ａ）は図１で示した内キャップ２の一例の断面図、図２（ｂ）は図２（ａ）の右側面図である。図３（ａ）（ｂ）（ｃ）は内キャップの他の三例の断面図である。
【００１４】
本発明における内キャップ２は内栓本体２１の底部から軸体２２が延び、これの先端又はその近傍にストッパー２３が設けられている。また、内栓本体２１の表側中央には突起軸部２１ａが設けられている。開口部が内キャップ２で塞がれた容器本体１を画像形成装置にセットした後、コレットチャックの狭持部で突起軸部２１ａを摘み、これを外方に引くことによって内キャップ２の開閉が行われる。この時、容器本体１が回転し開口部からトナーを現像部に供給する。
【００１５】
突起軸部２１ａは外方にむけて先端が円周方向に突出した鍔部を有する突起を設けた形状であるのが望ましい。軸体２２は断面円形・多角形の細長の柱状物（中空体であってもよい）である。この細長の柱状物の軸方向には複数の補強材２２ａが取り付けられているのが好ましい。軸体２２の長さは少なくとも容器本体１の頸部１１の長さより長いことが必要である。
【００１６】
ストッパー２３は、図２（ｂ）にみられるように、２以上の棒状あるいは板状物からなる。このストッパー２３は捩れのある、或いは捩れのないプロペラ状のものである。ストッパー２３を構成するこのプロペラ状部材は、ストッパーとしても均等に力を働かせるためには２以上であることが好ましい。そして、ストッパー２３は容器本体の頸部から抜け出さない長さを有している。
【００１７】
また、軸体２２には、落下等による万一内キャップが容器本体から脱離した時にトナーが多量にこぼれることを防止する機能を有する。プロペラ状部材２３はトナーの移動、補給を妨げないために、図４に示したように、ストッパー２３を投影したときにできるプロペラ状部２３１とその他の部分（空間部）２３２との面積比率が、プロペラ状部２３１で５〜７０％好ましくは１０〜５０％、空間部２３２で９５〜３０％好ましくは９０〜５０％となっているのがよい。
【００１８】
内キャップ２は上記の部材、すなわち内栓本体２１、軸体２２、ストッパー２３、さらには補強材２２ａが一体成形によってつくられる。勿論、例えば２つの部材が一体的に成形され、これに他の部材を接着剤、螺子、嵌合、融着、カシメ等の他、超音波カシメなどの手段で固定するようにしてもよい。すなわち、内栓本体２１、軸体２２とストッパー２３は別体であってもよいし、一体成形されていてもよい。また、内栓本体２１と一体成形された軸体２２と、ストッパー２３との２体からなっていてもよいし、内栓本体と、軸体と一体成形されたストッパーとの２体からなっていてもよい。
【００１９】
内キャップ２を構成するこれら部材の材質としては、ポリスチレン、ポリエチレン、ポリプロピレン等の樹脂が用いられる。
【００２０】
内キャップと同様、その内キャップが嵌め込まれる容器本体、それに外キャップはプラスチックを素材にしてつくられているのが好ましい。ストッパー２３の内キャップ引き抜きに対する強度は、不意の転倒や落下で容易に本体から抜けない程度、また誤って引張っても容器本体から抜けない程度の強度である必要がある。この意味で、ストッパー２３は軸体２２に対しほぼ直角になるように取り付けられてもよいが、図３（ｃ）のように、先端が内栓本体２１に向くように（ストッパー２３と軸体２２との角度が直角より小さい角度になるように）取り付けられているのが望ましい。こうすることによって、ストッパー２３を容器本体１に差し込みやすくなり、また外れにくくなる。内キャップの取付けは圧入によりなされる。
【００２１】
容器本体１は、図１（ｃ）に示したように、内壁に螺旋状の突起１２を設けたものが好ましい。この螺旋状突起があることにより、画像形成装置内で、トナー収納容器を横置きのままでまた内部のアジテータなしに、単に自身の回動のみにより、トナーが一定量ずつ補給されることが可能になる。
【図面の簡単な説明】
【００２２】
【図１】図１（ａ）は容器本体に内キャップが嵌められた状態の図、図１（ｂ）は栓がゆるめられた状態の図である。図１（ｃ）は内壁に螺旋状の突起が形成された容器本体の図である。
【図２】図２（ａ）は内キャップの一例の図、図２（ｂ）はストッパーの一例の平面図である。
【図３】図３（ａ）は内キャップの断面図、図３（ｂ）は他の内キャップの断面図、図３（ｃ）はまた他の内キャップの断面図である。
【図４】ストッパーを投影したときの図である。
【符号の説明】
【００２３】
１、１′  容器本体
１１  容器本体の頸部
１２  螺旋状の突起
２  内キャップ
２１  内栓本体（２１ａ突起軸部）
２２  軸体（２２ａ補強材）
２３  ストッパー
２３１  プロペラ状部
２３２  空間部
【図１】
2006259759.tif 000003
【図２】
2006259759.tif 000004
【図３】
2006259759.tif 000005
【図４】
2006259759.tif 000006